(57)【要約】【課題】冷却体を収納する袋体であって、冷却中に発生する結露を吸収し、かつ袋体表面が濡れない構成をもった袋体を提供する。詳しくは、冷却体を収納した当該袋体を、体熱冷まし用として人体に密着させて使用した際、結露の発生を防止し不快感を与えない構成をもった袋体を提供する。さらに、体熱冷ましなどを行っている最中の人体動きなどによる当該袋体のずれを防止した構成をもった袋体を提供する。【解決手段】少なくとも疎水性材料が用いられている液透過性もしくは吸水性を有したドライシート１に、吸水性シートを２を重ね合わせた結露防止性シート３を形成し、当該ドライシート１が表面になるようにして当該結露防止性シート３を製袋した袋体。また、当該袋体の片面に接着面を形成することにより、人体や衣服などとの密着を可能とした袋体。【選択図】図４
2006136679.tif 000002
【特許請求の範囲】
【請求項１】
少なくても疎水性材料を用いてシート化した液透過性もしくは吸水性を有したドライシートに、吸水性を有した吸水性シートを重ね合わせることにより結露防止性シートを形成し、当該ドライシートが表面になるようにして当該結露防止性シートを製袋したことを特徴とする冷却体収納用袋体。
【請求項２】
少なくても疎水性材料を用いてシート化した液透過性もしくは吸水性を有したドライシートに、吸水性を有した吸水性シートを重ね合わせることにより結露防止性シートを形成し、当該ドライシートが表面になるようにして当該結露防止性シートを製袋した後、当該袋体の少なくとも片面に粘着面を形成し、その粘着面上に剥離シートが配されていることを特徴とする冷却体収納用袋体。
【発明の詳細な説明】
【技術分野】
【０００１】  本発明は、冷却体を収納する袋体に関するものであり、詳しくは、頭部、わきの下、足のつけ根、首筋をはじめとする人体の一部分を冷却するために使用される、体熱冷まし用の冷却体収納用袋体に関するものである。
【背景技術】
【０００２】  一般的に、発熱した場合には、頭部、わきの下などの熱を冷ますため、水枕や氷嚢、他に、冷媒を収納したものを頭部、わきの下に当て冷却を行っている。【０００３】  冷媒を収納したものとは、例えば、ジェル状の保冷材料を樹脂性のカバーの中に収納した保冷マットとしたものなどである。当該保冷マットは、冷蔵庫などで予冷し、冷却状態となった当該保冷マットを布製からなる外部カバー、またはタオルなどで覆い使用するものである。【０００４】  頭部、わきの下などの熱を冷ます別の方法としては、人体に貼り付ける型の熱冷まし用シート材が販売されている。熱冷まし用シート材とは、例えば、皮膚に貼着して使う冷却用パップ剤と同様の構成をもつもので、表面から順に支持体と膏剤と剥離ライナーとからなる積層体であって、膏剤には、基剤にハッカ油やメントールなどの清涼剤や冷却剤が混合されているものなどである。
【発明の開示】
【発明が解決しようとする課題】
【０００５】  しかし、水枕、氷嚢、冷媒を収納したもの、そして熱冷まし用シート材などのいずれを使用する場合においても、使用状況の中では、使用される環境下が高温多湿であったりする。特に、わきの下などの衣服で覆われる人体部位は、発熱時の発汗もあり、頭部などの外気に触れる部位に比べ高温多湿となった状態にある。【０００６】  このため、水枕、氷嚢、冷媒を収納したもの、そして熱冷まし用シート材などの保冷材料の冷却に伴う作用により、保冷材料の周辺に結露が発生し、使用中に不快感を伴ったり、保冷材料の周辺を濡らしてしまうため、わきの下などの衣服で覆われる人体部位での使用時には衣服までも濡らしてしまう問題を生じていた。【０００７】  さらに、発熱時には、わきの下、足の付け根などの部位を冷却することが、解熱には大きな効果がある。しかし、当該部位に水枕、氷嚢、そして冷媒を収納したものなどの保冷材料を密着させることは難しく、さらに人体の動きにより、当該保冷材料が当該部位からずれてしまい、熱冷ましの効果を得られない状態がよく生じている。【０００８】  中には、保冷材料をバンドなどと固定し、当該バンドを人体に巻き付けて、保冷材料を人体に密着させるものもある。しかし、バンドの使用により、人体を締め付ける不快感を伴うとともに、バンドの締め付けが行えない部位もあり、保冷材料を密着させたい部位の制限を受ける問題がある。また、バンドを構成するということから、低価格での製品化が難しく、使い捨の容易さを得ることが難しいのである。【０００９】  その点、熱冷まし用シート材は人体部位に貼着して使うため、わきの下、足の付け根などの部位に密着させることができ、かつ、人体の動きによるずれも防止できるものである。しかし、熱冷まし用シート材は、人体の熱を熱冷まし用シート材の膏剤を通して体外に発散させるものであるため、わきの下、足の付け根などの衣服に覆われる人体部位は、頭部などの外気に触れる部位に比べより高温多湿状態となるため、体内にこもった熱の発散効果が乏しくなり、十分な熱冷ましの効果を得ることができないのである。【００１０】  そこで、本発明の目的は、上記問題点を解消するため、冷却体を収納する袋体であって、冷却を行っている最中に発生する結露を吸収し得る冷却体収納用袋体を提供することにある。また、本発明の他の目的は、上記目的に加え、当該冷却体収納用袋体を冷却したい部位に密着させ、冷却体がずれることを防止した冷却体収納用袋体を提供することにある。さらに、本発明の目的は、上記目的に加え、安価な素材で当該冷却体収納用袋体を製作することにより、使用後の使い捨てを可能とした冷却体収納用袋体を提供することにある。
【課題を解決するための手段】
【００１１】  上記目的を達成するため、本発明の冷却体収納用袋体は、少なくても疎水性材料を用いてシート化した液透過性もしくは吸水性を有したドライシートに、吸水性を有した吸水性シートを重ね合わせることにより結露防止性シートを形成し、当該ドライシートが表面になるようにして当該結露防止性シートを製袋したことを特徴とする。【００１２】  当該袋体に、冷却体、例えばジェル状の保冷材料を樹脂性のカバーの中に収納した保冷材などを収納し、その後、当該冷却体が収納された当該袋体を冷却したい部位に密着させ、その密着部位の冷却を行うが、このとき、当該袋体の構成により、冷却体により冷やされ発生する結露をドライシートを通して吸収性シートにて吸水するとともに、密着部位との接触部分においては、当該ドライシートにより当該吸水性シートとの直接的な接触を防止するとともに、当該ドライシートが疎水性材料で構成されているため濡れることがないのである。つまり、当該袋体を体熱冷まし用として使用した際に、人体との密着部位において濡れた感じを与えることを防止して、体熱冷まし時の不快感を防ぐことができるのである。【００１３】  なお、吸水性シートの厚みを変化させることにより、断熱性を利用した温度制御を可能とすることができる。当該シートの厚みを厚くすることにより、当該袋体を密着させた瞬間の過大な冷却を防止できるとともに、冷却体の冷却効果を徐々に、より長時間継続させることができるのである。【００１４】  また、本発明の冷却体収納用袋体は、少なくても疎水性材料を用いてシート化した液透過性もしくは吸水性を有したドライシートに、吸水性を有した吸水性シートを重ね合わせることにより結露防止性シートを形成し、当該ドライシートが表面になるようにして当該結露防止性シートを製袋した後、当該袋体の少なくとも片面に粘着面を形成し、その粘着面上に剥離シートが配されていることを特徴とする。【００１５】  当該袋体に、冷却体を収納した後、当該冷却体が収納された当該袋体を冷却したい部位に密着させる際、当該袋体の少なくとも片面に接着面を形成することにより、密着させたい部位に直接、また容易に当該袋体を密着させることができるようになる。これにより、当該袋体を人体に密着させ、体熱冷まし用に使用している最中、人体の動きによる当該袋体のズレを防止でき、当該冷却体の冷却効果を持続して与えることができるのである。【００１６】  なお、当該袋体を体熱冷まし用として使用する際、冷却体が収納された当該袋体の接着面を、人体に直接密着させる場合ばかりではなく、衣服に接着させて使用することもできる。当該袋体はドライシートと吸水性シートを重ね合わせた結露防止性シートにより構成されているため、当該袋体の表面は濡れがなくサラサラした状態にある。このため、当該袋体を衣服に直接に接着させて使用させても衣服を濡らすことなく、不快感を与えることがないのである。【００１７】  さらに、本発明の冷却体収納用袋体は、ドライシートと吸水性シートを重ね合わせた結露防止性シートによってのみ袋体に構成され、目的によっては当該袋体の少なくとも片面に接着面を形成して構成されるため、低価格で製造することができるのである。これにより、冷却体が収納���れた当該袋体を使用した後は、当該冷却体を当該袋体から取り出し、当該袋体のみを処分する、使い捨てができるのである。
【発明の効果】
【００１８】  以上説明してきたように、本発明の冷却体収納用袋体においては、結露を積極的に吸収することができるとともに、また、当該袋体の少なくとも片面に接着面を形成することにより当該袋体を冷却したい部位に密着させ、冷却体がずれることを防止することができる。さらに、安価な材料を使用することで、使用後の使い捨ても容易となり、衛生的に優れた効果も発揮するものである。
【発明の実施するための最良の形態】
【００１９】  以下、本発明の冷却体収納用袋体についての実施の形態について説明する。
【００２０】  図１は、本発明の冷却体収納用袋体を製袋する結露防止性シートの概略図である。当該結露防止性シートはドライシート１と吸水性シート２を重ね合わせることにより構成される。ドライシート１と吸水性シート２は単に上下に重ね合わせても良いし、接着剤を用いて重ね合わせても良いし、また、上下に重ねあわせた後、針などのようなもので何回も打ち当該ドライシートと当該吸水性シートを構成する繊維同士を絡み合わせた状態にしても良い。
【００２１】  ドライシート１は、ポリエステル樹脂やポリプロピレン樹脂などのような疎水性材料を繊維化し、少なくとも当該繊維を用いて製編織もしくは不織布にしてシート化したものである。そして、製編織もしくは不織布にする際、当該繊維の密度を粗くしたり、メッシュ状にすることにより、当該シートに液透過性の特性をもたせる。これにより、結露によって生じた水分は当該ドライシート１を透過し、重ね合わされている吸水性シート２にて吸水されるのである。
【００２２】  また、当該ドライシート１は、ポリエステル樹脂やポリプロピレン樹脂などのような疎水性材料による繊維を、少なくとも用いて繊維束とし、当該繊維束によってシート化されたものでもある。細い繊維を多数本集束して繊維束としたものは、毛細管現象により、その繊維間に水分を一時的に吸水することができる。そして、一時的に吸水された水分は、当該ドライシート１を透過し、重ね合わされている吸水性シート２にて吸水されるのである。
【００２３】  そして、当該ドライシート１は、ポリエステル樹脂やポリプロピレン樹脂などのような疎水性材料を繊維化したものを少なくとも用いて構成されているのである。疎水性材料による繊維は、繊維自身が水分を吸水しないため、結露や発汗などによって生じた水分を吸水性シート２に吸水させてしまえば、当該繊維の表面を乾いた状態で保つことができ、よって、当該ドライシート１は人体に対して濡れた感じを与えることを防止できる、つまり、さらさらとした感触を与えることができるのである。
【００２４】  なお、当該ドライシート１に使用される疎水性材料は、さらさらとした感触を与えるために、少なくとも重量比で５０％以上の量を使用するのが望ましい。
【００２５】  吸水性シート２は、吸水性ある材料による繊維を用いて、製編織および不織布にしてシート化したものである。吸水性ある材料による繊維とは、例えば、綿や吸水性ポリエステル繊維などがある。また、多数本の繊維を集束させた繊維束を用いてシート化した場合、毛細管現象にて、繊維間に水分を吸水することができる。よって、吸水性ある材料による繊維束を用い、シート化したものは吸水性に優れたシート材になるのである。
【００２６】  なお、木材から取り出した繊維であるパルプなども吸水性ある材料であり、パルプから作られる紙なども吸水性シート２として使用できるものである。
【００２７】  さらに、吸水性シート２は、天然または合成繊維の編織布もしくは不織布に吸水性ポリマー材料を付着させて構成したシートでも良い。この場合、使用する繊維は、疎水性および吸水性のどちらの材料による繊維でも良い。吸水性ポリマーは、吸水した水分を含水し、吸水性ポリマーがジェル状に変化し、吸水性シート２の外に逆流することを防ぐ作用を有する。使用する吸水性ポリマーは、当該結露防止製シートが人体に接触することを考慮して、経口毒性並びに皮膚の刺激性試験おいて、毒性と刺激性を有さないものを使用するのが好ましい。
【００２８】  図２は、当該結露防止性シートから製袋された冷却体収納用袋体の一つの形状を表す概略図である。当該結露防止性シートから当該冷却体収納用袋体に製袋する際、当該袋体の表面、つまり人体と接触する面にドライシート１が、そして、当該袋体の裏面、つまり冷却体と接触する面に吸水性シート２が配置されるように製袋する。
【００２９】  また、当該袋体の形状は、挿入する冷却体の形状にもよるが、四角形状が製造しやすく、製造コストも低価格でできる。ただ、冷却したい部位に、より一致させるために、当該製袋の形状を四角形以外の形状、例えば楕円形状など、にしても良い。
【００３０】  図３は、冷却体４が製袋から飛び出さないように、折り返し部分がある折り返しつき冷却体収納用袋体５について、その使用法を示した概略図である。
【００３１】  冷却体４は、例えば、ジェル状の保冷材料を樹脂性のカバーの中に収納したものや、耐切削性に優れた袋体に水などの液体を閉じ込めたものなどがある。
【００３２】  当該冷却体４を冷蔵庫や冷凍庫で十分に冷却させた後、折り返し付き冷却体収納用袋体５に挿入し、当該冷却体収納用袋体５の折り返し部を折り返して、当該冷却体４を当該冷却体収納用袋体５に閉じ込めたものである。これにより、当該冷却体４を収納した当該冷却体収納用袋体５を密着させた冷却時において、人体などの動きに対して、当該冷却体４が当該冷体収納用袋体５から飛び出すことを容易に防止できるものである。
【００３３】  なお、冷却体を冷却体収納用袋体に閉じ込める別の方法として、袋体の開き部に粘着テープや、面状ファスナーを取り付けて、当該冷却体を当該冷却体収納用袋体から飛び出さないようにすることも可能である。
【００３４】  図４および図５は、冷却体収納用袋体を密着させたい部位に密着させるため、少なくとも片面に粘着面を形成した冷却体収納用袋体の概略図である。
【００３５】  冷却体収納用袋体を人体もしくは衣服により密着させ、かつ、熱冷まし時などの人体の動きに対し、当該袋体が冷却部位からずれたり、はずれたりしないようにするためには、当該袋体の少なくとも片面に接着面を形成し、人体に直接もしくは衣服に当該袋体を貼り付けることが望ましい。
【００３６】  接着面の形成として、例えば、接着剤が両面に塗布されたシートの片面を冷却体収納用袋体の面に貼り付け、当該接着剤塗布シートのもう一方の面にて接着面を形成するという方法がある。また、冷却体収納用袋体の片面に接着剤を直接塗布し、接着面を形成する方法などもある。
【００３７】  接着剤としては、接着面が人体に直接触れるため、経口毒性並びに皮膚の刺激性試験おいて、毒性と刺激性を有さない成分によるものが望ましい。
【００３８】  図４は、幅広の接着剤塗布シート６を当該袋体の少なくとも片面全面に貼り付けた概略図であり、図５は、細幅の接着剤塗布シート７を間隔をあけて数本、当該袋体の少なくとも片面全面に貼り付けた概略図である。
【００３９】  図４のように、冷却体収納用袋体の片面全面に接着面を形成することにより、人体および衣服との接着をより高めることができる。また、図５のように、冷却体収納用袋体の片面全面ではなく、片面のところどころに接着面を形成することにより、人体および衣服との接触面における通気性を確保し、かつ、人体からの発汗による汗を当該冷却体収納用袋体にて吸水することが可能となるため、人体に不快感を与えないようにすることができる。
【００４０】  なお、図５では、細幅の接着剤塗布シートを用いて、当該冷却体収納用袋体の片面ところどころに接着面を形成しているが、丸型、四角型などの接着剤塗布シートを貼り付ける、もしくは丸型、四角型に接着剤を直接塗布するなどして、接着面を形成しても良い。
【００４１】  そして、接着面を形成した後、当該袋体が冷却体を収納して使用するまで、接着面の接着力を維持するため、接着面上に剥離シートを配するのが良い。
【図面の簡単な説明】
【００４２】
【図１】  結露防止性シートの概略図である。
【図２】  冷却体収納用袋体の概略図である。
【図３】  折り返し付き冷却体収納用袋体に冷却体を挿入した後、当該袋体の折り返し部を折り返して冷却体を収納する状態を表した概略図である。
【図４】  冷却体収納用袋体の片面に接着剤塗布幅広シートを貼り付け、当該袋体の片面全面に接着面を形成した概略図である。
【図５】  冷却体収納用袋体の片面に接着剤塗布細幅シートを隙間をもって数本貼り付け、当該袋体の片面に隙間をもって接着面を形成した概略図である。
【符号の説明】
【００４３】  １  ドライシート
２  吸水性シート
３  結露防止製シート
４  冷却体
５  折り返し付き冷却体収納用袋体
６  接着剤塗布幅広シート
７  接着剤塗布細幅シート
【図１】
2006136679.tif 000003
【図２】
2006136679.tif 000004
【図３】
2006136679.tif 000005
【図４】
2006136679.tif 000006
【図５】
2006136679.tif 000007